(57)【要約】【課題】開度センサを有さない風量制御装置を用いた風量制御システムにおいて、風量不足の解消と省エネルギーとの両立を図る。【解決手段】ベンチュリ型ＶＡＶ１０−１〜１０−ｎの前後の差圧ΔＰ１〜ΔＰｎを計測する差圧センサＳ１〜Ｓｎを設ける。制御装置１５において、差圧ΔＰ１〜ΔＰｎを監視し、１つでも下限値ΔＰＬｔｈ以下の差圧があった場合、風量不足であるとみなして、調和空気の流れる給気ダクト４内の静圧を増加させる。差圧ΔＰ１〜ΔＰｎに下限値ΔＰＬｔｈ以下の差圧がなく、１つでも上限値ΔＰＨｔｈ以上の差圧があった場合、風量もしくは静圧過剰であるとみなして、給気ダクト４内の静圧を減少させる。【選択図】  図１
2010223540.tif 000002
【特許請求の範囲】
【請求項１】
第１〜第Ｎ（Ｎ≧２）の制御対象空間と、
主ダクトから分岐して設けられた前記第１〜第Ｎの制御対象空間に通ずる第１〜第Ｎのダクトと、
この第１〜第Ｎのダクトに各個に設けられた第１〜第Ｎの風量制御装置と、
この第１〜第Ｎの風量制御装置を通過する風量を前記第１〜第Ｎの対象空間の負荷状況に応じて各個に制御する第１〜第Ｎの風量制御装置調節手段と、
前記第１〜第Ｎの風量制御装置の前後の差圧を各個に計測する第１〜第Ｎの差圧計測手段と、
この第１〜第Ｎの差圧計測手段によって計測された差圧の中から最小の差圧を抽出し、この抽出した差圧の最小値と予め定められている差圧の下限値とを比較し、前記差圧の最小値が前記下限値以下であった場合には前記主ダクト内の静圧を増加させる一方、前記差圧の最小値が前記下限値以下でなかった場合には、前記第１〜第Ｎの差圧計測手段によって計測された差圧の中から最大の差圧を抽出し、この抽出した差圧の最大値と予め定められている差圧の上限値と比較し、前記差圧の最大値が前記上限値以上であった場合には前記主ダクト内の静圧を減少させる主ダクト内静圧調整手段と
を備えることを特徴とする風量制御システム。
【請求項２】
請求項１に記載された風量制御システムにおいて、
前記主ダクト内静圧調整手段は、
前記主ダクト内の静圧の設定値をアップすることによって前記主ダクト内の静圧を増加させ、
前記主ダクト内の静圧の設定値をダウンすることによって前記主ダクト内の静圧を減少させる
ことを特徴とする風量制御システム。
【請求項３】
請求項１に記載された風量制御システムにおいて、
前記主ダクト内静圧調整手段は、
前記主ダクトに対して設けられているファンの回転数を調整するインバータ出力値をアップすることによって前記主ダクト内の静圧を増加させ、
前記主ダクトに対して設けられているファンの回転数を調整するインバータ出力値をダウンすることによって前記主ダクト内の静圧を減少させる
ことを特徴とする風量制御システム。
【請求項４】
請求項１に記載された風量制御システムにおいて、
前記主ダクトは、前記第１〜第Ｎの制御対象空間への調和空気の供給通路をなす給気ダクトである
ことを特徴とする風量制御システム。
【請求項５】
請求項１に記載された風量制御システムにおいて、
前記主ダクトは、
前記第１〜第Ｎの制御対象空間からの調和空気の排出通路をなす排気ダクトである
ことを特徴とする風量制御システム。
【請求項６】
第１〜第Ｎ（Ｎ≧２）の制御対象空間と、主ダクトから分岐して設けられた前記第１〜第Ｎの制御対象空間に通ずる第１〜第Ｎのダクトと、この第１〜第Ｎのダクトに各個に設けられた第１〜第Ｎの風量制御装置と、この第１〜第Ｎの風量制御装置を通過する風量を前記第１〜第Ｎの空調対象空間の負荷状況に応じて各個に制御する第１〜第Ｎの風量制御装置調節手段と、前記第１〜第Ｎの風量制御装置の前後の差圧を各個に計測する第１〜第Ｎの差圧計測手段とを備えたシステムに適用される風量制御方法であって、
前記第１〜第Ｎの差圧計測手段によって計測された差圧の中から最小の差圧を抽出し、この抽出した差圧の最小値と予め定められている差圧の下限値とを比較し、前記差圧の最小値が前記下限値以下であった場合には前記主ダクト内の静圧を増加させる主ダクト内静圧増加ステップと、
前記差圧の最小値が前記下限値以下でなかった場合には、前記第１〜第Ｎの差圧計測手段によって計測された差圧の中から最大の差圧を抽出し、この抽出した差圧の最大値と予め定められている差圧の上限値と比較し、前記差圧の最大値が前記上限値以上であった場合には前記主ダクト内の静圧を減少させる主ダクト内静圧減少ステップと
を備えることを特徴とする風量制御方法。
【請求項７】
請求項６に記載された風量制御方法において、
前記主ダクト内静圧増加ステップは、
前記主ダクト内の静圧の設定値をアップすることによって前記主ダクト内の静圧を増加させ、
前記主ダクト内静圧減少ステップは、
前記主ダクト内の静圧の設定値をダウンすることによって前記主ダクト内の静圧を減少させる
ことを特徴とする風量制御方法。
【請求項８】
請求項６に記載された風量制御方法において、
前記主ダクト内静圧増加ステップは、
前記主ダクトに付設されているファンの回転数を調整するインバータ出力値をアップすることによって前記主ダクト内の静圧を増加させ、
前記主ダクト内静圧減少ステップは、
前記主ダクトに付設されているファンの回転数を調整するインバータ出力値をダウンすることによって前記主ダクト内の静圧を減少させる
ことを特徴とする風量制御方法。
【請求項９】
請求項６に記載された風量制御方法において、
前記主ダクトは、前記第１〜第Ｎの制御対象空間への調和空気の供給通路をなす給気ダクトである
ことを特徴とする風量制御方法。
【請求項１０】
請求項６に記載された風量制御方法において、
前記主ダクトは、前記第１〜第Ｎの制御対象空間からの調和空気の排出通路をなす排気ダクトである
ことを特徴とする風量制御方法。
【発明の詳細な説明】
【技術分野】
【０００１】
この発明は、制御対象空間に通ずるダクトに設けられた風量制御装置（ＶＡＶ）を通過する風量を制御する風量制御システムおよび風量制御方法に関するものである。
【背景技術】
【０００２】
〔開度センサを有する風量制御装置を用いた風量制御システム〕
従来より、この種の風量制御システムとして、図１０にその概略を示すような空調制御システムが用いられている（例えば、特許文献１参照）。同図において、１−１〜１−ｎは制御対象空間、２は給気ファン、３は排気ファン、４は給気ファン２からの制御対象空間１−１〜１−ｎへの調和空気の供給通路をなす給気ダクト、５は制御対象空間１−１〜１−ｎからの調和空気の排出通路をなす排気ダクト、Ｄ１〜Ｄｎは制御対象空間１−１〜１−ｎに通ずる主ダクト４から分岐して設けられたダクト、６−１〜６−ｎはダクトＤ１〜Ｄｎに設けられた開度センサを有する風量制御装置（ＶＡＶ）、７−１〜７−ｎは制御対象空間１−１〜１−ｎに設置された温度センサ、８−１〜８−ｎは風量制御装置６−１〜６−ｎの開度を制御するＶＡＶコントローラ、９は給気ファン２および排気ファン３の回転数を制御する制御装置である。
【０００３】
この風量制御システムにおいて、ＶＡＶコントローラ８−１は、制御対象空間１−１における温度センサ７−１からの室内温度ｔ１ｐｖを入力とし、この室内温度ｔ１ｐｖと設定温度ｔ１ｓｐとの偏差に基づいて制御対象空間１−１への要求風量Ｑ１を演算し、この演算した要求風量Ｑ１を確保するように風量制御装置６−１の開度θ１を制御すると共に、その演算した要求風量Ｑ１を制御装置９へ送る。
【０００４】
同様にして、ＶＡＶコントローラ８−ｎも、制御対象空間１−ｎにおける温度センサ７−ｎからの室内温度ｔｎｐｖを入力とし、この室内温度ｔｎｐｖと設定温度ｔｎｓｐとの差に基づいて制御対象空間１−ｎへの要求風量Ｑｎを演算し、この演算した要求風量Ｑｎを確保するように風量制御装置６−ｎの開度θｎを制御すると共に、その演算した要求風量Ｑｎを制御装置９へ送る。制御装置９は、ＶＡＶコントローラ８−１〜８−ｎからの要求風量Ｑ１〜Ｑｎの総和を求め、この要求風量の総和に基づいて給気ファン２の回転数を決定する。
【０００５】
また、制御装置９は、定期的に、ＶＡＶコントローラ８−１〜８−ｎを介して風量制御装置６−１〜６−ｎの開度θ１〜θｎを取り込み、１つでも全開のダンパがあれば、風量不足を風量制御装置の動作で解消不可能とみなして給気ファン２の回転数をアップする。すなわち、給気ファン２の回転数を調整するインバータ出力値をアップし、給気ダクト４への調和空気の供給量を増加させる。また、全開のダンパがなく、１つでも全閉に近いダンパがあれば、風量もしくは静圧過剰とみなして給気ファン２の回転数をダウンする。すなわち、給気ファン２の回転数を調整するインバータ出力値をダウンし、給気ダクト４内の静圧を減少させる。静圧減少により風量が減少しても、風量制御装置の動作により適切な風量が維持される。
【０００６】
〔開度センサを有さない風量制御装置を用いた風量制御システム〕
図１０に示した風量制御システムでは、風量制御装置として開度センサを有する風量制御装置を用いているが、開度センサを有さない風量制御装置を用いた風量制御システムもある。図１１にベンチュリ形の風量制御装置を用いた風量制御システムの概略を示す。同図において、１０−１〜１０−ｎはベンチュリ形の風量制御装置（以下、ベンチュリ型ＶＡＶと呼ぶ）、１１−１〜１１−ｎはベンチュリ型ＶＡＶ１０−１〜１０−ｎに付設されたＶＡＶコントローラである。
【０００７】
図１２にベンチュリ型ＶＡＶ１０（１０−１〜１０−ｎ）の要部の機構を示す（例えば、非特許文献１，２参照）。ベンチュリ型ＶＡＶ１０は、ベンチュリ管（弁座）１０Ａ内にスプリングと一体構造のコーン（弁栓）１０Ｂを備えており、コーン１０Ｂが取り付けられたシャフト（弁軸）１０Ｄの摺動位置をレバー１０Ｃによって調整することができる。
【０００８】
このベンチュリ型ＶＡＶ１０では、レバー１０Ｃによってシャフト１０Ｄを図示右方向へ動かすと、ベンチュリ管１０Ａとコーン１０Ｂとの間の流路が狭くなり、流路の抵抗が大きくなり、通過する空気量が減少する。レバー１０Ｃによってシャフト１０Ｄを図示左方向へ動かすと、ベンチュリ管１０Ａとコーン１０Ｂとの間の流路が広くなり、流路の抵抗が小さくなり、通過する空気量が増大する。また、コーン１０Ｂの位置がベンチュリ管１０Ａの前後の差圧とスプリングのばね力の差で移動することによって、レバー１０Ｃのある位置（シャフト１０Ｄの摺動位置）に対して、ベンチュリ型ＶＡＶ１０を通過する空気量が一定の範囲に維持される。
【０００９】
図１１に示した風量制御システムにおいて、ＶＡＶコントローラ１１−１は、制御対象空間１−１における温度センサ７−１からの室内温度ｔ１ｐｖを入力とし、この室内温度ｔ１ｐｖと設定温度ｔ１ｓｐとの偏差に基づいて制御対象空間１−１への要求風量Ｑ１を演算し、この演算した要求風量Ｑ１を確保するようにベンチュリ型ＶＡＶ１０−１のシャフト１０Ｄの摺動位置を制御すると共に、その演算した要求風量Ｑ１を制御装置１２へ送る。
【００１０】
同様にして、ＶＡＶコントローラ１１−ｎも、制御対象空間１−ｎにおける温度センサ７−ｎからの室内温度ｔｎｐｖを入力とし、この室内温度ｔｎｐｖと設定温度ｔｎｓｐとの差に基づいて制御対象空間１−ｎへの要求風量Ｑｎを演算し、この演算した要求風量Ｑｎを確保するようにベンチュリ型ＶＡＶ１０−１のシャフト１０Ｄの摺動位置を制御すると共に、その演算した要求風量Ｑｎを制御装置１２へ送る。制御装置１２は、ＶＡＶコントローラ１１−１〜１１−ｎからの要求風量Ｑ１〜Ｑｎの総和を求め、この要求風量の総和に基づいて給気ファン２の回転数を決定する。
【先行技術文献】
【特許文献】
【００１１】
【特許文献１】特開平１０−２６３８２号公報
【非特許文献】
【００１２】
【非特許文献１】「クリティカル風量制御システム」、〔平成２１年１月１３日検索〕、インターネット＜http://jp.yamatake.com/product/ba/doc/specsheet/AI-5942-R4.0.pdf#search='風量制御バルブ クリティカル'＞
【非特許文献２】「研究施設向け環境制御システム」、〔平成２１年１月１３日検索〕、インターネット＜http://jp.yamatake.com/product/ba/critical/product/index.html＞
【発明の概要】
【発明が解決しようとする課題】
【００１３】
図１０に示した風量制御システムでは、制御装置９において、定期的に、ＶＡＶコントローラ８−１〜８−ｎを介して風量制御装置６−１〜６−ｎの開度θ１〜θｎを取り込み、１つでも全開のダンパがあれば、風量不足を風量制御装置の動作で解消不可能とみなして給気ファン２の回転数をアップするようにしている。また、全開のダンパがなく、１つでも全閉に近いダンパがあれば、風量もしくは静圧過剰とみなして給気ファン２の回転数をダウンするようにしている。これにより、この風量制御システムでは、制御対象空間１−１〜１−ｎにおける負荷状況に応じて給気ダクト４内の静圧変更を適切に行い、風量不足の解消と省エネルギーとの両立を図ることができる。
【００１４】
しかしながら、図１１に示した風量制御システムでは、ベンチュリ型ＶＡＶ１０の構成上、コーン１０Ｂの位置の検出が難しく、ベンチュリ型ＶＡＶ１０−１〜１０−ｎからその装置の開度θ１〜θｎを示す信号を得ることができない。このため、制御装置１２において、制御装置９で採用されていた制御アルゴリズムを利用することができず、風量不足が生じたり、無駄なエネルギーを消費してしまう虞があった。
【００１５】
本発明は、このような課題を解決するためになされたもので、その目的とするところは、開度センサを有さない風量制御装置を用いた風量制御システムにおいて、風量不足の解消と省エネルギーとの両立を図ることが可能な風量制御システムおよび風量制御方法を提供することにある。
【課題を解決するための手段】
【００１６】
このような目的を達成するために本発明は、第１〜第Ｎ（Ｎ≧２）の制御対象空間と、主ダクトから分岐して設けられた第１〜第Ｎの制御対象空間に通ずる第１〜第Ｎのダクトと、この第１〜第Ｎのダクトに各個に設けられた第１〜第Ｎの風量制御装置と、この第１〜第Ｎの風量制御装置を通過する風量を第１〜第Ｎの空調対象空間の負荷状況に応じて各個に制御する第１〜第Ｎの風量制御装置調節手段と、第１〜第Ｎの風量制御装置の前後の差圧を各個に計測する第１〜第Ｎの差圧計測手段と、この第１〜第Ｎの差圧計測手段によって計測された差圧の中から最小の差圧を抽出し、この抽出した差圧の最小値と予め定められている差圧の下限値とを比較し、差圧の最小値が下限値以下であった場合には主ダクト内の静圧を増加させる一方、差圧の最小値が下限値以下でなかった場合には、第１〜第Ｎの差圧計測手段によって計測された差圧の中から最大の差圧を抽出し、この抽出した差圧の最大値と予め定められている差圧の上限値と比較し、差圧の最大値が上限値以上であった場合には主ダクト内の静圧を減少させる主ダクト内静圧調整手段とを設けたものである。
【００１７】
この発明によれば、第１〜第Ｎの風量制御装置の前後の差圧が各個に計測され、この計測された差圧ΔＰ１〜ΔＰｎの中から最小の差圧ΔＰｍｉｎが抽出され、この抽出された差圧の最小値ΔＰｍｉｎと予め定められている差圧の下限値ΔＰＬｔｈとが比較される。ここで、差圧の最小値ΔＰｍｉｎが下限値ΔＰＬｔｈ以下であった場合、主ダクト内の静圧が増加される。すなわち、本発明では、計測された差圧ΔＰ１〜ΔＰｎの内、１つでも下限値ΔＰＬｔｈ以下の差圧があった場合、風量不足であるとみなして、主ダクト内の静圧を増加させ、風量を増加させる。
【００１８】
差圧の最小値ΔＰｍｉｎが下限値ΔＰＬｔｈ以下でなかった場合、計測された差圧ΔＰ１〜ΔＰｎの中から最大の差圧ΔＰｍａｘが抽出され、この抽出された差圧の最大値ΔＰｍａｘと予め定められている差圧の上限値ΔＰＨｔｈと比較し、差圧の最大値ΔＰｍａｘが上限値ΔＰＨｔｈ以上であった場合、主ダクト内の静圧が減少される。すなわち、本発明では、計測された差圧ΔＰ１〜ΔＰｎに下限値ΔＰＬｔｈ以下の差圧がなく、１つでも上限値ΔＰＨｔｈ以上の差圧があった場合、風量もしくは静圧過剰であるとみなして、主ダクト内の静圧を減少させる。静圧減少により風量が減少しても、風量制御装置の動作により適切な風量が維持される。
【００１９】
本発明において、主ダクト内の静圧の調整は、主ダクト内の静圧の設定値や主ダクトに対して設けられているファンの回転数を調整するインバータ出力値を調整することによって行うことが可能である。この場合、静圧の設定値をアップすることによって主ダクト内の静圧を増加させ、静圧の設定値をダウンすることによって主ダクト内の静圧を減少させる。また、インバータ出力値をアップすることによって主ダクト内の静圧を増加させ、インバータ出力値をダウンすることによって主ダクト内の静圧を減少させる。
【００２０】
また、本発明において、主ダクトは、第１〜第Ｎの制御対象空間への調和空気の供給通路をなす給気ダクトとしてもよいし、第１〜第Ｎの制御対象空間からの調和空気の排出通路をなす排気ダクトとしてもよい。主ダクトを給気ダクトとする場合、第１〜第Ｎの風量制御手段は、第１〜第Ｎの風量制御装置を通過する第１〜第Ｎの空調対象空間への調和空気の風量を負荷状況（例えば、室内温度）に応じて制御する。また、主ダクト内静圧調整手段は、給気ダクト内の静圧を増減する。主ダクトを排気ダクトとする場合、第１〜第Ｎの風量制御装置調整手段は、第１〜第Ｎの風量制御装置を通過する第１〜第Ｎの空調対象空間からの調和空気の風量を負荷状況（例えば、室圧）に応じて制御する。また、主ダクト内静圧調整手段は、排気ダクト内の静圧を増減する。なお、本発明は、風量制御方法として実現することも可能である。
【発明の効果】
【００２１】
本発明によれば、第１〜第Ｎの風量制御装置の前後の差圧を各個に計測し、この計測された差圧の中から最小の差圧を抽出し、この抽出した差圧の最小値と予め定められている差圧の下限値とを比較し、差圧の最小値が下限値以下であった場合には主ダクト内の静圧を増加させる一方、差圧の最小値が下限値以下でなかった場合には、第１〜第Ｎの差圧計測手段によって計測された差圧の中から最大の差圧を抽出し、この抽出した差圧の最大値と予め定められている差圧の上限値と比較し、差圧の最大値が上限値以上であった場合には主ダクト内の静圧を減少させるようにしたので、開度センサを有さない風量制御装置を用いた風量制御システムにおいて、風量不足の解消と省エネルギーとの両立を図ることが可能となる。
【図面の簡単な説明】
【００２２】
【図１】本発明に係る風量制御システムの一実施の形態（実施の形態１）の概略を示す図である。
【図２】この実施の形態１の風量制御システムにおける制御装置が有する給気ダクト内静圧調整機能の方式１を説明するためのフローチャートである。
【図３】この給気ダクト内静圧調整機能の方式１を採用した場合の制御装置の要部の機能ブロック図である。
【図４】この風量制御システムにおける制御装置が有する給気ダクト内静圧調整機能の方式２を説明するためのフローチャートである。
【図５】この給気ダクト内静圧調整機能の方式２を採用した場合の制御装置の要部の機能ブロック図である。
【図６】本発明に係る風量制御システムの他の実施の形態（実施の形態２）の概略を示す図である。
【図７】この実施の形態２の風量制御システムにおける制御装置が有する給気ダクト内静圧調整機能を説明するためのフローチャートである。
【図８】この実施の形態２の風量制御システムにおける制御装置の要部の機能ブロック図である。
【図９】排気系統にベンチュリ型ＶＡＶを設けた場合の風量制御システムの一例を示す図である。
【図１０】開度センサを有する風量制御装置を用いた従来の風量制御システムの概略を示す図である。
【図１１】ベンチュリ形の風量制御装置を用いた風量制御システムの概略を示す図である。
【図１２】ベンチュリ型ＶＡＶの要部を示す機構図である。
【発明を実施するための形態】
【００２３】
以下、本発明を図面に基づいて詳細に説明する。
〔実施の形態１〕
図１はこの発明に係る風量制御システムの一実施の形態（実施の形態１）の概略を示す図である。同図において、図１１と同一符号は図１１を参照して説明した構成要素と同一或いは同等構成要素を示し、その説明は省略する。
【００２４】
この風量制御システムでは、ベンチュリ型ＶＡＶ１０−１〜１０−ｎに対して、このベンチュリ型ＶＡＶ１０−１〜１０−ｎの前後の差圧ΔＰ１〜ΔＰｎを計測する差圧センサＳ１〜Ｓｎを設けている。なお、この差圧センサＳ１〜Ｓｎは、ベンチュリ型ＶＡＶ１０−１〜１０−ｎに搭載するようにしてもよい。
【００２５】
また、この風量制御システムでは、ベンチュリ型ＶＡＶ１０−１〜１０−ｎにＶＡＶコントローラ１３−１〜１３−ｎを付設し、差圧センサＳ１〜Ｓｎによって計測される差圧ΔＰ１〜ΔＰｎをＶＡＶコントローラ１３−１〜１３−ｎへ送るようにしている。また、給気ダクト４内の静圧を検出する静圧センサ１４を設け、この静圧センサ１４が検出する静圧ＰＤｐｖを制御装置１５へ送るようにしている。
【００２６】
この風量制御システムにおいて、ＶＡＶコントローラ１３−１は、制御対象空間１−１における温度センサ７−１からの室内温度ｔ１ｐｖを入力とし、この室内温度ｔ１ｐｖと設定温度ｔ１ｓｐとの偏差に基づいて制御対象空間１−１への要求風量Ｑ１を演算し、この演算した要求風量Ｑ１を確保するようにベンチュリ型ＶＡＶ１０−１のシャフト１０Ｄ（図１２）の摺動位置を制御すると共に、その演算した要求風量Ｑ１を制御装置１５へ送る。
【００２７】
同様にして、ＶＡＶコントローラ１３−ｎも、制御対象空間１−ｎにおける温度センサ７−ｎからの室内温度ｔｎｐｖを入力とし、この室内温度ｔｎｐｖと設定温度ｔｎｓｐとの差に基づいて制御対象空間１−ｎへの要求風量Ｑｎを演算し、この演算した要求風量Ｑｎを確保するようにベンチュリ型ＶＡＶ１０−１のシャフト１０Ｄ（図１２）の摺動位置を制御すると共に、その演算した要求風量Ｑｎを制御装置１５へ送る。制御装置１５は、ＶＡＶコントローラ１３−１〜１３−ｎからの要求風量Ｑ１〜Ｑｎの総和を求め、この要求風量の総和に基づいて給気ファン２の回転数を決定する。
【００２８】
制御装置１５は、プロセッサや記憶装置からなるハードウェアと、これらのハードウェアと協働して制御装置としての各種機能を実現させるプログラムとによって実現され、本実施の形態特有の機能として、風量不足の解消と省エネルギー運転の両立を図るための給気ダクト内静圧調整機能を有している。以下、図２に示すフローチャートに従って、制御装置１５が有する給気ダクト内静圧調整機能の方式１について説明する。また、図４に示すフローチャートに従って、制御装置１５が有する給気ダクト内静圧調整機能の方式２について説明する。
【００２９】
〔給気ダクト内静圧調整機能：方式１〕
制御装置１５は、差圧センサＳ１〜Ｓ１によって計測されたベンチュリ型ＶＡＶ１０−１０−１〜１０−ｎの前後の差圧ΔＰ１〜ΔＰｎを取り込み（図２：ステップＳ１０１）、この計測された差圧ΔＰ１〜ΔＰｎの中から最小の差圧ΔＰｍｉｎを抽出する（ステップＳ１０２）。そして、この抽出した差圧の最小値ΔＰｍｉｎと予め定められている差圧の下限値ΔＰＬｔｈとを比較する（ステップＳ１０３）。
【００３０】
ここで、差圧の最小値ΔＰｍｉｎが下限値ΔＰＬｔｈ以下であった場合（ステップＳ１０３のＹＥＳ）、制御装置１５は、給気ダクト４内の静圧の設定値ＰＤｓｐを予め定められている所定幅αだけ上げる（ステップＳ１０４）。この場合、制御装置１５は、その変更した静圧の設定値ＰＤｓｐ（ＰＤｓｐ＝ＰＤｓｐ（現在値）＋α）と静圧センサ１４によって検出される静圧ＰＤｐｖとが一致するように、給気ファン２の回転数をアップする。すなわち、制御装置１５は、計測された差圧ΔＰ１〜ΔＰｎの内、１つでも下限値ΔＰＬｔｈ以下の差圧があった場合、風量不足であるとみなして、給気ダクト４を流れる調和空気の風量を静圧の変化幅αに相当する量だけ増加させる。
【００３１】
差圧の最小値ΔＰｍｉｎが下限値ΔＰＬｔｈ以下でなかった場合（ステップＳ１０３のＮＯ）、制御装置１５は、計測された差圧ΔＰ１〜ΔＰｎの中から最大の差圧ΔＰｍａｘを抽出し（ステップＳ１０５）、この抽出した差圧の最大値ΔＰｍａｘと予め定められている差圧の上限値ΔＰＨｔｈとを比較する（ステップＳ１０６）。
【００３２】
ここで、差圧の最大値ΔＰｍａｘが上限値ΔＰＨｔｈ以上であった場合（ステップＳ１０６のＹＥＳ）、制御装置１５は、給気ダクト４内の静圧の設定値ＰＤｓｐを予め定められている所定幅βだけ下げる（ステップＳ１０７）。この場合、制御装置１５は、その変更した静圧の設定値ＰＤｓｐ（ＰＤｓｐ＝ＰＤｓｐ（現在値）−β）と静圧センサ１４によって検出される静圧ＰＤｐｖとが一致するように、給気ファン２の回転数をダウンする。すなわち、制御装置１５は、計測された差圧ΔＰ１〜ΔＰｎに下限値ΔＰＬｔｈ以下の差圧がなく、１つでも上限値ΔＰＨｔｈ以上の差圧があった場合、風量もしくは静圧過剰であるとみなして、調和空気の流れる給気ダクト４内の静圧を減少させる。静圧減少により風量が減少しても、風量制御装置の動作により適切な風量が維持される。
【００３３】
差圧の最大値ΔＰｍａｘが上限値ΔＰＨｔｈ以上でなかった場合（ステップＳ１０６のＮＯ）、制御装置１５は、給気ダクト４内の静圧の設定値ＰＤｓｐの変更は行わない（ステップＳ１０８）。すなわち、制御装置１５は、計測された差圧ΔＰ１〜ΔＰｎが全て下限値ΔＰＬｔｈと上限値ΔＰＨｔｈとの間にあった場合、風量に過不足は生じていないと判断し、給気ダクト４を流れる調和空気の静圧の変更を行わず、現在の状態を維持する。
【００３４】
制御装置１５は、このステップＳ１０１〜Ｓ１０８の処理動作を一定周期毎に繰り返す。このような処理動作の繰り返しによって、ベンチュリ型ＶＡＶ１０−１〜１０−ｎからその装置の開度θ１〜θｎを示す信号を得ることができなくても、風量不足の解消と省エネルギーとの両立が図られるものとなる。
【００３５】
図３にこの給気ダクト内静圧調整機能の方式１を採用した場合の制御装置１５の要部の機能ブロック図を示す。同図において、１５Ａ１はベンチュリ型ＶＡＶ差圧監視部、１５Ａ２は最小値差圧抽出部、１５Ａ３は最大値差圧抽出部、１５Ａ４は下限値記憶部、１５Ａ５は上限値記憶部、１５Ａ６は最小値差圧比較部、１５Ａ７は最大値差圧比較部、１５Ａ８は所定幅α記憶部、１５Ａ９は所定幅β記憶部、１５Ａ１０は静圧設定値変更部である。
【００３６】
この機能ブロック図において、ベンチュリ型ＶＡＶ差圧監視部１５Ａ１はベンチュリ型ＶＡＶ１０−１０−１〜１０−ｎの前後の差圧ΔＰ１〜ΔＰｎを取り込む。最小値差圧抽出部１５Ａ２はベンチュリ型ＶＡＶ差圧監視部１５Ａ１が取り込んだ差圧ΔＰ１〜ΔＰｎの中から最小の差圧ΔＰｍｉｎを抽出する。最小値差圧比較部１５Ａ６は、抽出された差圧ΔＰｍｉｎと下限値記憶部１５Ａ４に記憶されている下限値ΔＰＬｔｈとを比較し、ΔＰｍｉｎ≦ΔＰＬｔｈであれば静圧設定値変更部１５Ａ１０へ静圧設定値の変更指令を送り、ΔＰｍｉｎ＞ΔＰＬｔｈであれば最大値抽出部１５Ａ３へ最大値抽出指令を送る。静圧設定値変更部１５Ａ１０は、最小値差圧比較部１５Ａ６から静圧設定値の変更指令を受けると、所定幅α記憶部１５Ａ８に記憶されている所定幅αを読み出し、この所定幅αを現在の静圧設定値ＰＤｓｐに加算し、変更後の静圧設定値ＰＤｓｐとする。
【００３７】
最大値抽出部１５Ａ３は、最小値差圧比較部１５Ａ６からの最大値抽出指令を受けて、ベンチュリ型ＶＡＶ差圧監視部１５Ａ１が取り込んだ差圧ΔＰ１〜ΔＰｎの中から最大の差圧ΔＰｍａｘを抽出する。最大値差圧比較部１５Ａ７は、抽出された差圧ΔＰｍａｘと上限値記憶部１５Ａ５に記憶されている上限値ΔＰＨｔｈとを比較し、ΔＰｍａｘ≧ΔＰＨｔｈであれば静圧設定値変更部１５Ａ１０へ静圧設定値の変更指令を送る。静圧設定値変更部１５Ａ１０は、最大値差圧比較部１５Ａ７から静圧設定値の変更指令を受けると、所定幅β記憶部１５Ａ９に記憶されている所定幅βを読み出し、この所定幅βを現在の静圧設定値ＰＤｓｐから減算し、変更後の静圧設定値ＰＤｓｐとする。
【００３８】
〔給気ダクト内静圧調整機能：方式２〕
制御装置１５は、差圧センサＳ１〜Ｓ１によって計測されたベンチュリ型ＶＡＶ１０−１０−１〜１０−ｎの前後の差圧ΔＰ１〜ΔＰｎを取り込み（図４：ステップＳ２０１）、この計測された差圧ΔＰ１〜ΔＰｎの中から最小の差圧ΔＰｍｉｎを抽出する（ステップＳ２０２）。そして、この抽出した差圧の最小値ΔＰｍｉｎと予め定められている差圧の下限値ΔＰＬｔｈとを比較する（ステップＳ２０３）。
【００３９】
ここで、差圧の最小値ΔＰｍｉｎが下限値ΔＰＬｔｈ以下であった場合（ステップＳ２０３のＹＥＳ）、制御装置１５は、差圧の最小値ΔＰｍｉｎと下限値ΔＰＬｔｈとの差をα＝ΔＰＬｔｈ−ΔＰｍｉｎとして求め（ステップＳ２０４）、給気ダクト４内の静圧の設定値ＰＤｓｐをαだけ上げる（ステップＳ２０５）。この場合、制御装置１５は、その変更した静圧の設定値ＰＤｓｐ（ＰＤｓｐ＝ＰＤｓｐ（現在値）＋α）と静圧センサ１４によって検出される静圧ＰＤｐｖとが一致するように、給気ファン２の回転数をアップする。すなわち、制御装置１５は、計測された差圧ΔＰ１〜ΔＰｎの内、１つでも下限値ΔＰＬｔｈ以下の差圧があった場合、風量不足であるとみなして、給気ダクト４を流れる調和空気の風量を静圧の変化幅αに相当する量だけ増加させる。
【００４０】
差圧の最小値ΔＰｍｉｎが下限値ΔＰＬｔｈ以下でなかった場合（ステップＳ２０３のＮＯ）、制御装置１５は、計測された差圧ΔＰ１〜ΔＰｎの中から最大の差圧ΔＰｍａｘを抽出し（ステップＳ２０６）、この抽出した差圧の最大値ΔＰｍａｘと予め定められている差圧の上限値ΔＰＨｔｈとを比較する（ステップＳ２０７）。
【００４１】
ここで、差圧の最大値ΔＰｍａｘが上限値ΔＰＨｔｈ以上であった場合（ステップＳ２０７のＹＥＳ）、制御装置１５は、差圧の最大値ΔＰｍａｘと上限値ΔＰＨｔｈとの差をβ１＝ΔＰｍａｘ−ΔＰＨｔｈとして求め（ステップＳ２０８）、また差圧の最小値ΔＰｍｉｎと下限値ΔＰＬｔｈとの差をβ２＝ΔＰｍｉｎ−ΔＰＬｔｈとして求め（ステップＳ２０９）、この求めたβ１とβ２のうち何れか小さい方（制御余裕の小さい方）をβとし（ステップＳ２１０）、給気ダクト４内の静圧の設定値ＰＤｓｐをβだけ下げる（ステップＳ２１１）。
【００４２】
この場合、制御装置１５は、その変更した静圧の設定値ＰＤｓｐ（ＰＤｓｐ＝ＰＤｓｐ（現在値）−β）と静圧センサ１４によって検出される静圧ＰＤｐｖとが一致するように、給気ファン２の回転数をダウンする。すなわち、制御装置１５は、計測された差圧ΔＰ１〜ΔＰｎに下限値ΔＰＬｔｈ以下の差圧がなく、１つでも上限値ΔＰＨｔｈ以上の差圧があった場合、風量もしくは静圧過剰であるとみなして、調和空気の流れる給気ダクト４内の静圧を減少させる。静圧減少により風量が減少しても、風量制御装置の動作により適切な風量が維持される。
【００４３】
差圧の最大値ΔＰｍａｘが上限値ΔＰＨｔｈ以上でなかった場合（ステップＳ２０７のＮＯ）、制御装置１５は、現在の給気ダクト４内の静圧の設定値ＰＤｓｐの変更は行わない（ステップＳ２１２）。すなわち、制御装置１５は、計測された差圧ΔＰ１〜ΔＰｎが全て下限値ΔＰＬｔｈと上限値ΔＰＨｔｈとの間にあった場合、風量に過不足は生じていないと判断し、給気ダクト４内の静圧変更を行わず、現在の状態を維持する。
【００４４】
制御装置１５は、このステップＳ２０１〜Ｓ２１２の処理動作を一定周期毎に繰り返す。このような処理動作の繰り返しによって、ベンチュリ型ＶＡＶ１０−１〜１０−ｎからその装置の開度θ１〜θｎを示す信号を得ることができなくても、風量不足の解消と省エネルギーとの両立が図られるものとなる。
【００４５】
図５にこの給気ダクト内静圧調整機能の方式２を採用した場合の制御装置１５の要部の機能ブロック図を示す。同図において、１５Ｂ１はベンチュリ型ＶＡＶ差圧監視部、１５Ｂ２は最小値差圧抽出部、１５Ｂ３は最大値差圧抽出部、１５Ｂ４は下限値記憶部、１５Ｂ５は上限値記憶部、１５Ｂ６は最小値差圧比較部、１５Ｂ７は最大値差圧比較部、１５Ｂ８はα算出部、１５Ｂ９はβ算出部、１５Ｂ１０は静圧設定値変更部である。
【００４６】
この機能ブロック図において、ベンチュリ型ＶＡＶ差圧監視部１５Ｂ１はベンチュリ型ＶＡＶ１０−１０−１〜１０−ｎの前後の差圧ΔＰ１〜ΔＰｎを取り込む。最小値差圧抽出部１５Ｂ２はベンチュリ型ＶＡＶ差圧監視部１５Ｂ１が取り込んだ差圧ΔＰ１〜ΔＰｎの中から最小の差圧ΔＰｍｉｎを抽出する。最小値差圧比較部１５Ｂ６は、抽出された差圧ΔＰｍｉｎと下限値記憶部１５Ｂ４に記憶されている下限値ΔＰＬｔｈとを比較し、ΔＰｍｉｎ≦ΔＰＬｔｈであればα算出部１５Ｂ８へ算出指令を送り、ΔＰｍｉｎ＞ΔＰＬｔｈであれば最大値抽出部１５Ｂ３へ最大値抽出指令を送る。α算出部１５Ｂ８は、最小値差圧比較部１５Ｂ６から算出指令を受けると、下限値記憶部１５Ｂ４から下限値ΔＰＬｔｈを読み出し、差圧の最小値ΔＰｍｉｎと下限値ΔＰＬｔｈとの差をα＝ΔＰＬｔｈ−ΔＰｍｉｎとして求め、静圧設定値変更部１５Ｂ１０へ送る。静圧設定値変更部１５Ｂ１０は、α算出部１５Ｂ８からのαを現在の静圧設定値ＰＤｓｐに加算し、変更後の静圧設定値ＰＤｓｐとする。
【００４７】
最大値抽出部１５Ｂ３は、最小値差圧比較部１５Ｂ６からの最大値抽出指令を受けて、ベンチュリ型ＶＡＶ差圧監視部１５Ｂ１が取り込んだ差圧ΔＰ１〜ΔＰｎの中から最大の差圧ΔＰｍａｘを抽出する。最大値差圧比較部１５Ｂ７は、抽出された差圧ΔＰｍａｘと上限値記憶部１５Ｂ５に記憶されている上限値ΔＰＨｔｈとを比較し、ΔＰｍａｘ≧ΔＰＨｔｈであればβ算出部１５Ｂ９へ算出指令を送る。β算出部１５Ｂ９は、最大値差圧比較部１５Ｂ７から算出指令を受けると、下限値記憶部１５Ｂ４および上限値記憶部１５Ｂ５から下限値ΔＰＬｔｈおよび上限値ΔＰＨｔｈを読み出し、差圧の最大値ΔＰｍａｘと上限値ΔＰＨｔｈとの差をβ１＝ΔＰｍａｘ−ΔＰＨｔｈとして求め、差圧の最小値ΔＰｍｉｎと下限値ΔＰＬｔｈとの差をβ２＝ΔＰｍｉｎ−ΔＰＬｔｈとして求め、この求めたβ１とβ２のうち何れか小さい方をβとして、静圧設定値変更部１５Ｂ１０へ送る。静圧設定値変更部１５Ｂ１０は、β算出部１５Ｂ８からのβを現在の静圧設定値ＰＤｓｐから減算し、変更後の静圧設定値ＰＤｓｐとする。
【００４８】
〔実施の形態２〕
図６はこの発明に係る風量制御システムの他の実施の形態（実施の形態２）の概略を示す図である。同図において、図１と同一符号は図１を参照して説明した構成要素と同一或いは同等構成要素を示し、その説明は省略する。この風量制御システムでは、給気ダクト４内の静圧の設定値ＰＤｓｐを変更するのではなく、給気ファン２の回転数を調整するインバータ出力値を直接変更する方式としている。このため、給気ダクト４には、静圧センサ１４を設けていない。
【００４９】
この風量制御システムにおいて、制御装置１５は、差圧センサＳ１〜Ｓ１によって計測されたベンチュリ型ＶＡＶ１０−１０−１〜１０−ｎの前後の差圧ΔＰ１〜ΔＰｎを取り込み（図５：ステップＳ３０１）、この計測された差圧ΔＰ１〜ΔＰｎの中から最小の差圧ΔＰｍｉｎを抽出する（ステップＳ３０２）。そして、この抽出した差圧の最小値ΔＰｍｉｎと予め定められている差圧の下限値ΔＰＬｔｈとを比較する（ステップＳ３０３）。
【００５０】
ここで、差圧の最小値ΔＰｍｉｎが下限値ΔＰＬｔｈ以下であった場合（ステップＳ３０３のＹＥＳ）、制御装置１５は、給気ファン２へのインバータ出力値ＩＮＶを予め定められた所定幅γだけ上げる（ステップＳ３０４）。これにより、給気ファン２へのインバータ出力値ＩＮＶがＩＮＶ＝ＩＮＶ（現在値）＋γとなり、給気ファン２の回転数がγだけアップする。すなわち、制御装置１５は、計測された差圧ΔＰ１〜ΔＰｎの内、１つでも下限値ΔＰＬｔｈ以下の差圧があった場合、風量不足であるとみなして、給気ダクト４を流れる調和空気の風量をインバータ出力値の変化幅γに相当する量だけ増加させる。
【００５１】
差圧の最小値ΔＰｍｉｎが下限値ΔＰＬｔｈ以下でなかった場合（ステップＳ３０３のＮＯ）、制御装置１５は、計測された差圧ΔＰ１〜ΔＰｎの中から最大の差圧ΔＰｍａｘを抽出し（ステップＳ３０５）、この抽出した差圧の最大値ΔＰｍａｘと予め定められている差圧の上限値ΔＰＨｔｈとを比較する（ステップＳ３０６）。
【００５２】
ここで、差圧の最大値ΔＰｍａｘが上限値ΔＰＨｔｈ以上であった場合（ステップＳ３０６のＹＥＳ）、制御装置１５は、給気ファン２へのインバータ出力値ＩＮＶを予め定められた所定幅δだけ上げる（ステップＳ３０８）。これにより、給気ファン２へのインバータ出力値ＩＮＶがＩＮＶ＝ＩＮＶ（現在値）−δとなり、給気ファン２の回転数がδだけダウンする。すなわち、制御装置１５は、計測された差圧ΔＰ１〜ΔＰｎに下限値ΔＰＬｔｈ以下の差圧がなく、１つでも上限値ΔＰＨｔｈ以上の差圧があった場合、風量もしくは静圧過剰であるとみなして、調和空気の流れる給気ダクト４内の静圧を減少させる。静圧減少により風量が減少しても、風量制御装置の動作により適切な風量が維持される。
【００５３】
差圧の最大値ΔＰｍａｘが上限値ΔＰＨｔｈ以上でなかった場合（ステップＳ３０６のＮＯ）、制御装置１５は、給気ファン２へのインバータ出力値ＩＮＶの変更は行わない（ステップＳ３０８）。すなわち、制御装置１５は、計測された差圧ΔＰ１〜ΔＰｎが全て下限値ΔＰＬｔｈと上限値ΔＰＨｔｈとの間にあった場合、風量または静圧に過不足は生じていないと判断し、給気ダクト４内の静圧の変更を行わず、現在の状態を維持する。
【００５４】
制御装置１５は、このステップＳ３０１〜Ｓ３０８の処理動作を一定周期毎に繰り返す。このような処理動作の繰り返しによって、ベンチュリ型ＶＡＶ１０−１〜１０−ｎからその装置の開度θ１〜θｎを示す信号を得ることができなくても、風量不足の解消と省エネルギーとの両立が図られるものとなる。
【００５５】
図８にこの実施の形態２の風量制御システムにおける制御装置１５の要部の機能ブロック図を示す。同図において、１５Ｃ１はベンチュリ型ＶＡＶ差圧監視部、１５Ｃ２は最小値差圧抽出部、１５Ｃ３は最大値差圧抽出部、１５Ｃ４は下限値記憶部、１５Ｃ５は上限値記憶部、１５Ｃ６は最小値差圧比較部、１５Ｃ７は最大値差圧比較部、１５Ｃ８は所定幅γ記憶部、１５Ｃ９は所定幅δ記憶部、１５Ｃ１０はインバータ出力値変更部である。
【００５６】
この機能ブロック図において、ベンチュリ型ＶＡＶ差圧監視部１５Ｃ１はベンチュリ型ＶＡＶ１０−１０−１〜１０−ｎの前後の差圧ΔＰ１〜ΔＰｎを取り込む。最小値差圧抽出部１５Ｃ２はベンチュリ型ＶＡＶ差圧監視部１５Ｃ１が取り込んだ差圧ΔＰ１〜ΔＰｎの中から最小の差圧ΔＰｍｉｎを抽出する。最小値差圧比較部１５Ｃ６は、抽出された差圧ΔＰｍｉｎと下限値記憶部１５Ｃ４に記憶されている下限値ΔＰＬｔｈとを比較し、ΔＰｍｉｎ≦ΔＰＬｔｈであればインバータ出力値変更部１５Ｃ１０へインバータ出力値の変更指令を送り、ΔＰｍｉｎ＞ΔＰＬｔｈであれば最大値抽出部１５Ｃ３へ最大値抽出指令を送る。インバータ出力値変更部１５Ｃ１０は、最小値差圧比較部１５Ｃ６からインバータ出力値の変更指令を受けると、所定幅γ記憶部１５Ｃ８に記憶されている所定幅γを読み出し、この所定幅γを現在のインバータ出力値ＩＮＶに加算し、変更後のインバータ出力値ＩＮＶとする。
【００５７】
最大値抽出部１５Ｃ３は、最小値差圧比較部１５Ｃ６からの最大値抽出指令を受けて、ベンチュリ型ＶＡＶ差圧監視部１５Ｃ１が取り込んだ差圧ΔＰ１〜ΔＰｎの中から最大の差圧ΔＰｍａｘを抽出する。最大値差圧比較部１５Ｃ７は、抽出された差圧ΔＰｍａｘと上限値記憶部１５Ｃ５に記憶されている上限値ΔＰＨｔｈとを比較し、ΔＰｍａｘ≧ΔＰＨｔｈであればインバータ出力値変更部１５Ｃ１０へインバータ出力値の変更指令を送る。インバータ出力値変更部１５Ｃ１０は、最大値差圧比較部１５Ｃ７からインバータ出力値の変更指令を受けると、所定幅δ記憶部１５Ｃ９に記憶されている所定幅δを読み出し、この所定幅δを現在のインバータ出力値ＩＮＶから減算し、変更後のインバータ出力値ＩＮＶとする。
【００５８】
なお、上述した実施の形態１，２では、ベンチュリ型ＶＡＶ１０−１〜１０−ｎを給気系統に設けた場合を例にとって説明したが、ベンチュリ型ＶＡＶ１０−１〜１０−ｎを排気系統に設けた場合にも同様の制御を行うことが可能である。
【００５９】
図９に排気系統にベンチュリ型ＶＡＶ１０−１〜１０−ｎを設けた場合の図１に対応する図を示す。この場合、ＶＡＶコントローラ１３−１〜１３−ｎによって、制御対象空間１−１〜１−ｎの室圧ＰＲ１ｐｖ〜ＰＲｎｐｖを設定室圧ＰＲ１ｓｐ〜ＰＲｎｓｐに一致させるように、ベンチュリ型ＶＡＶ１０−１〜１０−ｎを通過する制御対象空間１−１〜１−ｎからの排気ダクト５への調和空気の風量を制御する。また、制御装置１５において、ベンチュリ型ＶＡＶ１０−１〜１０−ｎの前後の差圧ΔＰ１〜ΔＰｎに基づいて排気ダクト５内の静圧の設定値を変更し、排気ファン３の回転数を調整し、排気ダクト５内の静圧を増減させる。なお、給気側でも同様に制御可能である。
【００６０】
また、上述した実施の形態１，２では、ベンチュリ形の風量制御装置を用いた例で説明したが、本発明における風量制御装置はベンチュリ形の風量制御装置に限られるものではない。また、本発明において、風量制御装置は開度センサを有さない風量制御装置に限られるものではなく、開度センサを有する風量制御装置であっても構わない。
【００６１】
また、上述した実施の形態１，２では、制御対象空間１−１〜１−ｎの室内温度を制御する例で説明したが、制御対象空間１−１〜１−ｎの例えばＣＯ２濃度を制御するような例でも同様にして適用することが可能である。
【産業上の利用可能性】
【００６２】
本発明の風量制御システムおよび風量制御方法は、ビルや工場などの大規模な施設における各室の給気制御や室圧制御など様々な分野で利用することが可能である。
【符号の説明】
【００６３】
１−１〜１−ｎ…制御対象空間、２…給気ファン、３…排気ファン、４…給気ダクト、Ｄ１〜Ｄｎ…ダクト、５…排気ダクト、７…温度センサ、１０−１〜１０−ｎ…ベンチュリ型ＶＡＶ、１０Ａ…ベンチュリ管（弁座）、１０Ｂ…コーン（弁栓）、１０Ｃ…レバー、１０Ｄ…シャフト（弁軸）、Ｓ１〜Ｓｎ…差圧センサ、１３−１〜１３−ｎ…ＶＡＶコントローラ、、１４…静圧センサ、１５…制御装置、１５Ａ１，１５Ｂ１，１５Ｃ１…ベンチュリ型ＶＡＶ差圧監視部、１５Ａ２，１５Ｂ２，１５Ｃ２…最小値差圧抽出部、１５Ａ３，１５Ｂ３，１５Ｃ３…最大値差圧抽出部、１５Ａ４，１５Ｂ４，１５Ｃ４…下限値記憶部、１５Ａ５，１５Ｂ５，１５Ｃ５…上限値記憶部、１５Ａ６，１５Ｂ６，１５Ｃ６…最小値差圧比較部、１５Ａ７，１５Ｂ７，１５Ｃ７…最大値差圧比較部、１５Ａ８…所定幅α記憶部、１５Ｂ８…α算出部、１５Ｃ８…所定幅γ記憶部、１５Ａ９…所定幅β記憶部、１５Ｂ９…β算出部、１５Ｃ９…所定幅δ記憶部、１５Ａ１０，１５Ｂ１０…静圧設定値変更部、１５Ｃ１０…インバータ出力値変更部。
【図１】
2010223540.tif 000003
【図２】
2010223540.tif 000004
【図３】
2010223540.tif 000005
【図４】
2010223540.tif 000006
【図５】
2010223540.tif 000007
【図６】
2010223540.tif 000008
【図７】
2010223540.tif 000009
【図８】
2010223540.tif 000010
【図９】
2010223540.tif 000011
【図１０】
2010223540.tif 000012
【図１１】
2010223540.tif 000013
【図１２】
2010223540.tif 000014